(57)【要約】【課題】  その目的とするところはビジネスフォーム冊子と糸綴じ冊子とを表紙でくるみ一体化し、在庫管理が簡素化できる見開き可能な手帳を提供することにある。【解決手段】  複数の本紙が背側にて冊子接着部にて接合されたビジネスフォーム冊子と、複数の冊子用紙が綴じ部にて糸綴じされ綴じ部で折り畳まれた糸綴じ冊子と、表表紙と裏表紙が折部を介して連接された表紙とからなり、ビジネスフォーム冊子の冊子接着部と糸綴じ冊子の綴じ部の背側が表紙の折部で綴じられ、表表紙および裏表紙にてビジネスフォーム冊子および糸綴じ冊子の表出面を被覆した見開き可能な手帳であって、前記表表紙には紙片の一部を切り欠き形成した窓部が設けられ、前記ビジネスフォーム冊子の表出面には個人情報が記載され、前記糸綴じ冊子には金券が備えられており、前記窓部より前記個人情報が見えることを特徴とする手帳である。【選択図】        図２
2014136340.tif 000002
【特許請求の範囲】
【請求項１】
複数の本紙が背側にて冊子接着部にて接合されたビジネスフォーム冊子と、複数の冊子用紙が綴じ部にて糸綴じされ綴じ部で折り畳まれた糸綴じ冊子と、表表紙と裏表紙が折部を介して連接された表紙とからなり、ビジネスフォーム冊子の冊子接着部と糸綴じ冊子の綴じ部の背側が表紙の折部で綴じられ、表表紙および裏表紙にてビジネスフォーム冊子および糸綴じ冊子の表出面を被覆した見開き可能な手帳であって、
前記表表紙には紙片の一部を切り欠き形成した窓部が設けられ、
前記ビジネスフォーム冊子の表出面には個人情報が記載され、
前記糸綴じ冊子には金券が備えられており、
前記窓部より前記個人情報が見えることを特徴とする手帳。
【請求項２】
前記ビジネスフォーム冊子において、少なくとも前記表表紙と対向する第１の本紙と、前記第１の本紙の前記表表紙と対向する反対側にて対向する第２の本紙の間に第３の本紙が挟まれており、前記第２の本紙と前記第３の本紙の端縁が小口側で接合されていると共に前記第３の本紙が前記第１の本紙および前記第２の本紙の背側の端縁より小口側に後退していることを特徴とする請求項１記載の手帳。
【発明の詳細な説明】
【技術分野】
【０００１】
本発明は、ビジネスフォーム冊子と糸綴じ冊子と表表紙と裏表紙が折部を介して連接された表紙からなり、ビジネスフォーム冊子および糸綴じ冊子の背側が表紙の折部で綴じられ、表表紙および裏表紙にてビジネスフォーム冊子および糸綴じ冊子の表出面を被覆した見開き可能な手帳に関し、詳しくは、ビジネスフォーム冊子の表出面には個人情報が記載され、糸綴じ冊子には金券が備えられており、商品の販売促進を高めるための冊子、あるいは株主への情報提供するためのコミュニティ用として利用される手帳に関する。
【背景技術】
【０００２】
従来、ビジネスフォーム冊子として、矩形状の用紙が複数枚重ねられ、重ねられた複数枚の用紙の横方向の一側端が接着され一体化された形態が知られている（例えば、特許文献１参照）。また、顧客の少なくとも住所、氏名、識別番号からなる固有情報が印字された第１固有情報と、特典情報とパーソナル小冊子有効期限情報とが印刷された共通情報とを少なくとも備えている見開きタイプのパーソナル小冊子も広く知られている（例えば、特許文献２参照）。
【０００３】
特許文献１に開示されたビジネスフォーム冊子や特許文献２に開示されたパーソナル小冊子は、通常、ロール状の用紙を用いて、顧客へ提供される広告、会社概況等の共通情報や個人の住所氏名等の顧客ごとに異なる可変の固有情報が印刷される。上記冊子はロール状の用紙を用いて製造されるので大量生産に適したものであると共に個人情報が大量に扱えるという利点を有している。しかしながら、例えば顧客の来店率を高めたり、株主優待券、商品券、宿泊券、乗車割引券、イベント入場券、食事券等の金券を提供する場合、ロール状の用紙を用いて製造することは金券管理上、困難な点が多々あり、通常は金券管理上、有利な方法として枚葉の用紙を用いて印刷する方法が採用され、その後、糸綴じされて冊子とされている。
【０００４】
したがって、上記金券等を顧客へ提供するサービスを行う場合、ビジネスフォーム冊子と糸綴じ冊子とを別冊として作製しなければならず、ビジネスフォーム冊子と糸綴じ冊子をアッセンブルする工程が余分に必要となるだけでなく、在庫管理においてもそれぞれの冊子を管理しなければならず在庫管理が面倒であるという問題がある。
【先行技術文献】
【特許文献】
【０００５】
【特許文献１】特開２００９−２６９３６６号公報
【特許文献２】特開２００５−７６８３号公報
【発明の概要】
【発明が解決しようとする課題】
【０００６】
そこで本発明は、上記問題を解決すべくなされたものであり、その目的とするところはビジネスフォーム冊子と糸綴じ冊子とを表紙でくるみ一体化し、在庫管理が簡素化できる見開き可能な手帳を提供することにある。
【課題を解決するための手段】
【０００７】
本発明は、上記課題を達成するために、請求項１記載の本発明は、複数の本紙が背側にて冊子接着部にて接合されたビジネスフォーム冊子と、複数の冊子用紙が綴じ部にて糸綴じされ綴じ部で折り畳まれた糸綴じ冊子と、表表紙と裏表紙が折部を介して連接された表紙とからなり、ビジネスフォーム冊子の冊子接着部と糸綴じ冊子の綴じ部の背側が表紙の折部で綴じられ、表表紙および裏表紙にてビジネスフォーム冊子および糸綴じ冊子の表出面を被覆した見開き可能な手帳であって、前記表表紙には紙片の一部を切り欠き形成した窓部が設けられ、前記ビジネスフォーム冊子の表出面には個人情報が記載され、前記糸綴じ冊子には金券が備えられており、前記窓部より前記個人情報が見えることを特徴とする手帳である。
【０００８】
また、請求項２記載の本発明は、請求項１記載の手帳において、前記ビジネスフォーム冊子において、少なくとも前記表表紙と対向する第１の本紙と、前記第１の本紙の前記表表紙と対向する反対側にて対向する第２の本紙の間に第３の本紙が挟まれており、前記第２の本紙と前記第３の本紙の端縁が小口側で接合されていると共に前記第３の本紙が前記第１の本紙および前記第２の本紙の背側の端縁より小口側に後退していることを特徴とするものである。
【発明の効果】
【０００９】
本発明の手帳は、複数の本紙が背側にて冊子接着部にて接合されたビジネスフォーム冊子と、複数の冊子用紙が綴じ部にて糸綴じされ綴じ部で折り畳まれた糸綴じ冊子と、表表紙と裏表紙が折部を介して連接された表紙とからなり、ビジネスフォーム冊子の冊子接着部と糸綴じ冊子の綴じ部の背側が表紙の折部で綴じられ、表表紙および裏表紙にてビジネスフォーム冊子および糸綴じ冊子の表出面を被覆した見開き可能な手帳であって、表表紙には紙片の一部を切り欠き形成した窓部が設けられ、ビジネスフォーム冊子の表出面には個人情報が記載され、糸綴じ冊子には金券が備えられており、窓部より個人情報が見える構成とすることにより、ビジネスフォーム冊子と糸綴じ冊子とを表紙でくるみ一体化できるのでビジネスフォーム冊子と糸綴じ冊子とを別々に管理するという面倒な在庫管理がないという効果を奏する。
また、ビジネスフォーム冊子は大量生産が可能であり、金券のような厳しい管理も要求されないのでアウトソーシングすることも可能であり、糸綴じ冊子は厳しい金券管理が可能な社内生産により、コストパーフォーマンスを有する手帳とすることができる。さらにビジネスフォーム冊子の表出面に記載された個人情報を、窓部を透して視認できるという効果もある。
【００１０】
また、請求項２記載の本発明は、第１の本紙と第２の本紙の間に第３の本紙が挟まれており、第２の本紙と第３の本紙の端縁が小口側で接合されている構成とすることにより、情報の増加が容易になると共に第３の本紙を小口側に広げることができるので第２の本紙と第３の本紙とで連続する絵柄、イラスト等を掲載できる。
【図面の簡単な説明】
【００１１】
【図１】本発明に係る手帳の第一実施形態を示す平面図である。
【図２】図１のＸ−Ｘ線断面図である。
【図３】本発明に係る手帳の第二実施形態を示す断面図である。
【発明を実施するための形態】
【００１２】
上記の本発明について、図面等を用いて以下に詳述する。
【００１３】
図１は本発明に係る手帳の第一実施形態を示す平面図、図２は図１のＸ−Ｘ線断面図、図３は本発明に係る手帳の第二実施形態を示す断面図であり、図中の１、１’は手帳、２は背側、３は小口側、１０はビジネスフォーム冊子、１１は本紙、１１１は第１の本紙、１１２は第２の本紙、１１３は第３の本紙、１２は冊子接着部、１３は接着剤、１４は個人情報、２０は糸綴じ冊子、２１は冊子用紙、２２は綴じ部、２３は金券、３０は表紙、３１は表表紙、３２は裏表紙、３３は折部、３４は窓部、３５は透明フィルムをそれぞれ示す。
【００１４】
図１は本発明に係る手帳の第一実施形態を示す平面図、図２は図１のＸ−Ｘ線断面図で本発明の手帳の窓部を横断する位置における断面図であって、本発明の手帳１は、ビジネスフォーム冊子１０と、糸綴じ冊子２０と、表紙３０とからなり、ビジネスフォーム冊子１０の冊子接着部１２と糸綴じ冊子２０の綴じ部２２の背側２が表紙３０の折部３３で綴じられ、表紙３０にてビジネスフォーム冊子１０および糸綴じ冊子２０をくるみ製本したものであり、ビジネスフォーム冊子１０には株主へ提供する会社の概況や決算状況や商品情報等が記載されており、糸綴じ冊子２０には株主優待券として金券が綴じられており、会社が株主に提供するコミュニティ用手帳である。
【００１５】
ビジネスフォーム冊子１０は複数の本紙１１が背側２にて冊子接着部１２にて接着剤１３により接合されている。糸綴じ冊子２０は複数の冊子用紙２１が綴じ部２２にて綴じ糸（図示しない）により綴じられ、糸綴じされた綴じ部２２で折り畳まれたものである。表紙３０は一枚の紙片からなり、折部３３を介して表表紙３１と裏表紙３２が連接されている。手帳１は、ビジネスフォーム冊子１０と糸綴じ冊子２０を冊子接着部１２と綴じ部２２を揃えて重ね、表紙３０でくるみ製本し、ビジネスフォーム冊子１０の冊子接着部１２と糸綴じ冊子２０の綴じ部２２の背側２が表紙３０の折部３３の内面にて接着剤により接合され、いわゆる無線綴じ製本されたものであり、表表紙３１および裏表紙３２にてビジネスフォーム冊子１０および糸綴じ冊子２０の表出面が被覆されており、図１、図２において右側が小口側３とされ、見開き可能となっている。
【００１６】
また、表紙３０の表表紙３１の上部には紙片の一部を切り欠き窓部３４が形成されている。図２に示すようにビジネスフォーム冊子１０と対向する表表紙３１の裏面には窓部３４を透明フィルム３５で覆い窓部３４の周縁で透明フィルム３５が接着されている。さらに表表紙３１の裏面と接するビジネスフォーム冊子１０の表出面には、上部に個人情報１４（図１参照）が記載されており、個人情報１４は表表紙３１に設けられた窓部３４より透明フィルム３５を透して見える構成となっている。ビジネスフォーム冊子１０の本紙１１には会社の概況や決算状況や商品情報等の株主に提供される共通情報が印刷されている。
【００１７】
糸綴じ冊子２０の冊子用紙２１には金券２３として株主優待券が備えられている。金券２３は糸綴じされているので散けることがない。金券２３等には図示しないが必要に応じて切り取り用のミシン目等を設けることもできる。金券としては、商品券、宿泊券、乗車割引券、イベント入場券、食事券等が挙げられる。
【００１８】
ビジネスフォーム冊子１０の用紙としては、フォーム用紙、上質紙、コート紙、タック紙等が使用でき、厚さとしては５０〜１６０ｇ／ｍ2 程度である。糸綴じ冊子２０の用紙としては上質紙、ＯＣＲ用紙、超軽量印刷用紙（例えば、株式会社巴川製紙所製のトモエリバー）、コート紙等が使用でき、厚さとしては５０〜２００ｇ／ｍ2 程度である。表紙３０としてはクロス、板紙、コート紙、上質紙等が使用でき、厚さとしては８０〜３００ｇ／ｍ2 程度である。
【００１９】
手帳１の製造方法の一例を示すと、ビジネスフォーム冊子１０、糸綴じ冊子２０および表紙３０をそれぞれ別工程で別パーツとして作製した後、ビジネスフォーム冊子１０と糸綴じ冊子２０を重ねて表紙３０でくるみ、冊子接着部１２および綴じ部２２の背側を表紙３０の折部の裏面とを接着剤で無線綴じし、背側を除く３方を仕上げ断裁することにより製造される。
ビジネスフォーム冊子１０は既存のビジネスフォーム製造ラインで製造され、本紙用の各巻取（ロール）状の用紙を巻き戻しながらそれぞれの用紙の片面もしくは両面に所定の印刷を行い、丁合し一方の端部を接着剤で接合し断裁することにより製造される。糸綴じ冊子２０は、冊子用紙用の枚葉の用紙のそれぞれに所定の印刷を行い、丁合して綴じ糸でミシン綴じした後、ミシン綴じした部分（綴じ部）で折り、綴じ部を除く三方を断裁することにより製造される。表紙３０は表紙用の用紙に印刷を行い、所定の位置に所定の窓部の形状の切刃を備えた抜き型を用いて用紙の一部を切り欠き、窓部３４を形成する。その後、窓部３４を二軸延伸ポリプロピレンで覆い周縁を接着剤で接着することにより製造される。
【００２０】
図３は、本発明に係る手帳の第二実施形態を示す断面図であって、図２に相当するものである。図３に示すように第二実施形態の手帳１’は、少なくとも表表紙３１と対向する第１の本紙１１１と、第１の本紙１１１の表表紙３１と対向する反対側にて対向する第２の本紙１１２と、の間に第３の本紙１１３が挟まれており、第２の本紙１１２と第３の本紙１１３の端縁が小口側３で接着剤１３により接合されている。第３の本紙１１３は背側２と小口側３が向き合っている方向（図３の左右方向）の長さが第１の本紙１１１および第２の本紙１１２の左右方向の長さより短くなっており、第１の本紙１１１および第２の本紙１１２の背側２の端縁より小口側３に後退している。その他は第一実施形態と同じである。
【符号の説明】
【００２１】
１、１’                    手帳
２                          背側
３                          小口側
１０                        ビジネスフォーム冊子
１１                        本紙
１１１                      第１の本紙
１１２                      第２の本紙
１１３                      第３の本紙
１２                        冊子接着部
１３                        接着剤
１４                        個人情報
２０                        糸綴じ冊子
２１                        冊子用紙
２２                        綴じ部
２３                        金券
３０                        表紙
３１                        表表紙
３２                        裏表紙
３３                        折部
３４                        窓部
３５                        透明フィルム
【図１】
2014136340.tif 000003
【図２】
2014136340.tif 000004
【図３】
2014136340.tif 000005